(57)【要約】【課題】野菜などの貯蔵物を収納する収納ケースに対して好適な温度で冷却されて湿度が比較的高い貯蔵物の収納空間を実現することが可能な冷蔵庫を提供する。【解決手段】冷蔵庫１は、野菜室２０と、収納ケース３０と、切り欠き部４１を有し収納ケース３０の上面に取り付ける小物ケース４０と、切り欠き部４１に対応する箇所に取り付ける縦型ケース５０と、貯蔵物の収納空間である貯蔵物収納部３１と、小物ケース４０と縦型ケース４０との各々が有し切り欠き部４１に対応する箇所で互いが近接して対向し合う形で立った状態に設けた壁部と、切り欠き部４１に対応する箇所で小物ケース４０と縦型ケース５０との間に設けて当該間における空気の流通を阻止するパッキン４７と、収納ケース３０における縦型ケース５０の取り付け箇所に設けて縦型ケース５０の壁部の形状に沿った形をなして上下方向に延びる内部リブ部３３と、を備える。【選択図】図４
2012063123.tif 000002
【特許請求の範囲】
【請求項１】
扉により前面が開閉される貯蔵室と、
前記貯蔵室の前面を通して出し入れされる上面を開口した収納ケースと、
平面視の一部を切り欠いた切り欠き部を有するとともに前記収納ケースの上面に取り付けられる第１小物ケースと、
前記収納ケースにおける前記第１小物ケースの前記切り欠き部に対応する箇所に取り付けられる第２小物ケースと、
前記収納ケースの内部に設けられて前記第１小物ケース及び前記第２小物ケースによって閉塞される貯蔵物の収納空間である貯蔵物収納部と、
前記第１小物ケースと前記第２小物ケースとの各々が有するものであって前記切り欠き部に対応する箇所で互いが近接して対向し合う形で立った状態に設けられた壁部と、
前記切り欠き部に対応する箇所で前記第１小物ケースと前記第２小物ケースとの間に設けられて当該間における空気の流通を阻止するシール部材と、
前記収納ケースにおける前記第２小物ケースの取り付け箇所に設けられて前記第２小物ケースの前記壁部の形状に沿った形をなして上下方向に延びる内部リブ部と、
を備えること特徴とする冷蔵庫。
【請求項２】
前記第１小物ケースの背面に設けられて前記収納ケースの背面に沿って下方向に延びる背面リブ部を備えることを特徴とする請求項１に記載の冷蔵庫。
【請求項３】
前記第１小物ケースは前記切り欠き部に対応する箇所で前記第２小物ケースの一部の上方に被さることを特徴とする請求項１または請求項２に記載の冷蔵庫。
【請求項４】
前記収納ケースと前記第１小物ケースとの各々が前記切り欠き部に対応する箇所の近傍に有するものであって前記第１小物ケースを前記収納ケースに取り付けたとき互いに係合する突起部を備えるとともに、
前記第１小物ケースを前記収納ケース上でスライドさせて互いの前記突起部を係合させるときに前記第１小物ケースを持ち上げる斜面を前記突起部の少なくとも一方が有することを特徴とする請求項１〜請求項３のいずれか１項に記載の冷蔵庫。
【請求項５】
前記貯蔵室が野菜室であって、前記収納ケース及び前記第１小物ケース及び前記第２小物ケースが前記野菜室の内部に設置されることを特徴とする請求項１〜請求項４のいずれか１項に記載の冷蔵庫。
【発明の詳細な説明】
【技術分野】
【０００１】
本発明は、野菜などの貯蔵物を収納する収納ケースを備えた冷蔵庫に関する。
【背景技術】
【０００２】
従来、冷蔵庫は扉により前面が開閉される複数の貯蔵室を備えている。貯蔵室の種類としては一般的に冷蔵室、冷凍室、野菜室を備えている。そして、野菜室の多くは野菜室の前面を通して前後にスライドし、扉と一体的に野菜室に対して出し入れされる収納ケースを備え、この収納ケース内に貯蔵物としての野菜などを収納する。このような冷蔵庫の例を特許文献１及び２に見ることができる。
【０００３】
特許文献１に記載された冷蔵庫は上段より冷凍室、冷蔵室、野菜室が順に配置され、引き出し式の野菜室の内部に収納容器（収納ケース）が設けられている。収納容器の内部には収納容器の後側上部に配置された小物容器が備えられている。そして、その小物容器は収納容器の前後方向長さより短くなっている。
【０００４】
特許文献２に記載された冷蔵庫は上段より冷蔵室、野菜室、冷凍室が順に配置され、引き出し式の野菜室の内部に野菜容器（収納ケース）が設けられている。野菜容器の内部には野菜容器を上下に区分する小物ケースが備えられている。そして、その小物ケースは幅寸法が野菜容器の幅寸法より短くなっている。
【先行技術文献】
【特許文献】
【０００５】
【特許文献１】特開平１１−９４４５６号公報（第２頁−第３頁、第２図）
【特許文献２】特開２００４−２０１１４号公報（第３頁−第５頁、第１図）
【発明の概要】
【発明が解決しようとする課題】
【０００６】
近年、野菜の鮮度を維持するために湿度が比較的高い野菜室を構成することが冷蔵庫に求められている。このため、野菜室の収納ケース内の野菜が貯蔵された空間を閉塞させ、野菜に冷気が直接吹き付けられることを防止して間接冷却することが望まれている。そして、収納ケースを好適な温度で冷却することにより湿度が比較的高いことに起因する結露の発生を抑制し、結露水によって野菜が傷むことを防止する必要もある。
【０００７】
収納ケースは前面、背面、左右側面、底面が壁部として構成されているので、これらの壁部と野菜室との間に積極的に冷気を流通させ、野菜に冷気が直接吹き付けられないようにして間接冷却することが容易である。しかしながら一方、収納ケースの上面は野菜などを出し入れするために開口として構成されているので、この上面開口に関して野菜が貯蔵された空間をいかにして閉塞させて間接冷却するかということが重要である。
【０００８】
ここで前述のように、特許文献１に記載された冷蔵庫は収納ケースの上部に収納ケースの前後方向長さより短い小物容器を備え、特許文献２に記載された冷蔵庫は収納ケースの上部に収納ケースの幅寸法より短い小物ケースを備えている。したがって、小物容器や小物ケースより下方に設けられた野菜などの主たる収納空間が小物容器や小物ケースで閉塞されるわけではなく、収納ケースの上面開口と連通する形になる。その結果、収納空間内の野菜に冷気が直接吹き付けられて乾燥が早まり、野菜の鮮度が低下し易くなる可能性がある。
【０００９】
さらに、野菜室を開放して収納ケースを引き出すと小物容器や小物ケースより下方に設けられた野菜などの収納空間に外気が一気に流入することになる。これにより、収納ケース内の低温、高湿度な収納空間を保持し難く、冷却のためのエネルギーの浪費にも繋がる虞がある。
【００１０】
本発明は、上記の点に鑑みなされたものであり、野菜などの貯蔵物を収納する収納ケースに対して貯蔵物に冷気が直接吹き付けられることを防止しながら好適な温度で冷却されて湿度が比較的高い貯蔵物の収納空間を実現することが可能な冷蔵庫を提供することを目的とする。
【課題を解決するための手段】
【００１１】
上記の課題を解決するため、本発明は、冷蔵庫において、扉により前面が開閉される貯蔵室と、前記貯蔵室の前面を通して出し入れされる上面を開口した収納ケースと、平面視の一部を切り欠いた切り欠き部を有するとともに前記収納ケースの上面に取り付けられる第１小物ケースと、前記収納ケースにおける前記第１小物ケースの前記切り欠き部に対応する箇所に取り付けられる第２小物ケースと、前記収納ケースの内部に設けられて前記第１小物ケース及び前記第２小物ケースによって閉塞される貯蔵物の収納空間である貯蔵物収納部と、前記第１小物ケースと前記第２小物ケースとの各々が有するものであって前記切り欠き部に対応する箇所で互いが近接して対向し合う形で立った状態に設けられた壁部と、前記切り欠き部に対応する箇所で前記第１小物ケースと前記第２小物ケースとの間に設けられて当該間における空気の流通を阻止するシール部材と、前記収納ケースにおける前記第２小物ケースの取り付け箇所に設けられて前記第２小物ケースの前記壁部の形状に沿った形をなして上下方向に延びる内部リブ部と、を備えることを特徴としている。
【００１２】
この構成によれば、収納ケースの内部において、例えば野菜などの収納空間である貯蔵物収納部が第１小物ケースと第２小物ケースとで閉塞されるので、貯蔵物収納部の野菜に冷気が直接吹き付けられることがなく、貯蔵室を開放しても貯蔵物収納部に外気が一気に流入することもない。また、第１小物ケースの切り欠き部に対応する箇所における第１小物ケース及び第２小物ケース各々が有する互いが近接して対向し合う形の壁部と、シール部材と、内部リブ部との働きにより第１小物ケースと第２小物ケースとの間の空気のシール性能が向上するので、貯蔵物収納部の冷気が外部に流出し難く且つ湿度が比較的高くなる。
【００１３】
また、上記構成の冷蔵庫において、前記第１小物ケースの背面に設けられて前記収納ケースの背面に沿って下方向に延びる背面リブ部を備えることを特徴としている。
【００１４】
この構成によれば、収納ケース及び第１小物ケースの背面において収納ケースと第１小物ケースとの間の空気のシール性能が向上するので、さらに貯蔵物収納部の冷気が外部に流出し難く且つ湿度が比較的高くなる。
【００１５】
また、上記構成の冷蔵庫において、前記第１小物ケースは前記切り欠き部に対応する箇所で前記第２小物ケースの一部の上方に被さることを特徴としている。
【００１６】
この構成によれば、第１小物ケースと第２小物ケースとの間において空気の流通経路が一層狭くなる。これにより、空気のシール性能が一層向上し、貯蔵物収納部の冷気が外部に流出し難く且つ湿度が比較的高くなる。
【００１７】
また、上記構成の冷蔵庫において、前記収納ケースと前記第１小物ケースとの各々が前記切り欠き部に対応する箇所の近傍に有するものであって前記第１小物ケースを前記収納ケースに取り付けたとき互いに係合する突起部を備えるとともに、前記第１小物ケースを前記収納ケース上でスライドさせて互いの前記突起部を係合させるときに前記第１小物ケースを持ち上げる斜面を前記突起部の少なくとも一方が有することを特徴としている。
【００１８】
この構成によれば、第１小物ケースを収納ケース上でスライドさせて互いの突起部を係合させるとき、突起部の斜面作用によって切り欠き部に対応する箇所において第１小物ケースが持ち上げられる。これにより、第１小物ケースが切り欠き部に対応する箇所で第２小物ケースの一部の上方に被さる場合、第１小物ケースを収納ケース上でスライドさせて取り付けても第２小物ケースに衝突しないようにすることができ、空気のシール性能の向上が図られた貯蔵物収納部の形成が容易になる。
【００１９】
また、上記構成の冷蔵庫において、前記貯蔵室が野菜室であって、前記収納ケース及び前記第１小物ケース及び前記第２小物ケースが前記野菜室の内部に設置されることを特徴としている。
【００２０】
この構成によれば、冷蔵庫の野菜室において、野菜などの収納空間である貯蔵物収納部の空気のシール性能が一層向上し、貯蔵物収納部の冷気が外部に流出し難く且つ湿度が比較的高くなる。
【発明の効果】
【００２１】
本発明の構成によれば、収納ケースの野菜などの収納空間である貯蔵物収納部が第１小物ケースと第２小物ケースとで閉塞され、さらに空気のシール性能も向上する。これにより、貯蔵物に冷気が直接吹き付けられることを防止しながら好適な温度で冷却されて湿度が比較的高い貯蔵物の収納空間を実現することが可能な冷蔵庫を提供することができる。
【図面の簡単な説明】
【００２２】
【図１】本発明の実施形態に係る冷蔵庫の垂直断面側面図である。
【図２】図１の冷蔵庫の野菜室部分を示す部分拡大垂直断面側面図である。
【図３】図２に示す野菜室の収納ケースの上面図である。
【図４】図３に示す収納ケースのIＶ−IＶ線における垂直断面正面図である。
【図５】図３に示す収納ケースの斜視図である。
【図６】図５に示す収納ケースの小物ケースの斜視図である。
【図７】図６に示す小物ケースの上面図である。
【図８】図７の小物ケースと収納ケースとの係合部を示す部分拡大垂直断面正面図である。
【図９】図８と同様の小物ケースと収納ケースとの係合部を示す部分拡大垂直断面正面図にして、係合途中の状態を示すものである。
【図１０】図３に示す収納ケースの垂直断面側面図である。
【図１１】図１０の収納ケースの円ＸＩ内を示す部分拡大垂直断面正面図である。
【図１２】図１０の収納ケースの円ＸII内を示す部分拡大垂直断面正面図である。
【図１３】図５に示す収納ケースの縦型ケースの斜視図である。
【図１４】図３に示す収納ケースの上面図にして、縦型ケースのみを取り付けた状態を示すものである。
【図１５】収納ケースの諸構成が野菜の乾燥度に及ぼす影響を示す表である。
【発明を実施するための形態】
【００２３】
以下、本発明の実施形態を図１〜図１５に基づき説明する。
【００２４】
最初に、本発明の実施形態に係る冷蔵庫について、図１を用いてその構造の概略を説明する。図１は冷蔵庫の垂直断面側面図である。
【００２５】
冷蔵庫１は、図１に示すように断熱構造の本体２を備え、本体２内部に食品等の貯蔵室として上方から順に冷蔵室３、上側冷凍室４、下側冷凍室５、及び野菜室２０を設けている。冷蔵室３と上側冷凍室４との間は仕切り部６によって仕切られ、上側冷凍室４と下側冷凍室５との間は仕切り部７によって仕切られ、下側冷凍室５と野菜室２０との間は仕切り部８によって仕切られている。
【００２６】
冷蔵室３の前面の開口部３ａは断熱構造の回動式の扉３ｂによって開閉される。上側冷凍室４の前面の開口部４ａは断熱構造の引き出し式の扉４ｂによって開閉される。同様に、下側冷凍室５の前面の開口部５ａも断熱構造の引き出し式の扉５ｂによって開閉される。扉４ｂと上側冷凍室４内部の側壁との間、及び扉５ｂと下側冷凍室５内部の側壁との間には前後方向に延びて摺動する案内部（図示せず）が各々設けられている。これにより、扉４ｂと扉５ｂとを前後にスムーズにスライドさせることができる。
【００２７】
野菜室２０は前面の開口部２０ａが断熱構造の引き出し式の扉２０ｂによって開閉される貯蔵室である。扉２０ｂと野菜室２０内部の側壁との間には前後方向に延びて摺動する案内部（図示せず）が設けられている。これにより、扉２０ｂを前後にスムーズにスライドさせることができる。また、野菜室２０はその内部に扉２０ｂ及び案内部に対して着脱自在な収納ケース３０を備えている。収納ケース３０は扉２０ｂと一体的に野菜室２０前面の開口部２０ａを通して前後にスライドして出し入れされる。
【００２８】
本体２の背面下部のコーナー部には機械室９が形成され、ここに冷蔵庫１の各貯蔵室内を冷却するための冷媒を圧縮する圧縮機１０が配置されている。
【００２９】
続いて、野菜室２０とその周辺の詳細な構成について、図２を用いて説明する。図２は冷蔵庫１の野菜室２０部分を示す部分拡大垂直断面側面図である。
【００３０】
野菜室２０の扉２０ｂの背面には、図２に示すように野菜室２０前面の開口部２０ａを全周にわたってぐるりと取り囲む形でガスケット２０ｃが装着されている。ガスケット２０ｃは扉２０ｂの輪郭形状に対応する形状で構成されており、扉２０ｂを閉鎖したときその全周にわたって開口部２０ａ周囲の本体２に当接する。これにより、野菜室２０の独立した断熱空間を形成することができ、外部の空気の影響を受けることなく野菜室２０内の温度や湿度を好適に保持することができる。
【００３１】
一方、下側冷凍室５の後部には冷却器１１が備えられている。冷却器１１は圧縮機１０で圧縮した冷媒を膨脹させて周囲の空気から熱を奪うものである。送風機（図示せず）によって冷却器１１に送り込まれた空気は冷却器１１で熱が奪われ冷気となる。冷気は野菜室２０の後部上方に設けられた吐出口２１から野菜室２０内に送り込まれる。吐出口２１は収納ケース３０の後方に備えられ、野菜室２０の背面２０ｄに沿って下方向に冷気を吐出する。なお、図２における白抜き矢印は冷気の流れを示している。
【００３２】
冷気の戻り口２２は収納ケース３０より前方の野菜室２０の上面２０ｅに備えられている。野菜室２０内に送り込まれた冷気は戻り口２２から野菜室２０の外部へと流出する。このため、野菜室２０の内壁面と収納ケース３０の外壁面との間であって、収納ケース３０の左右側方及び下方及び前方に冷気流通部２３が備えられている。なお、図では収納ケース３０の左右側方の冷気流通部２３の描画を省略している。
【００３３】
冷気流通部２３は野菜室２０内において図２に示す白抜き矢印のとおり吐出口２１から戻り口２２まで冷気を流通させる。これにより、収納ケース３０の左右側方及び下方及び前方に関して冷気流通部２３の働きによって積極的に冷気を流通させて収納ケース３０が間接冷却される。なお、戻り口２２から野菜室２０の外部へと流出した冷気は仕切り部８の内部を通って他の箇所へ移動する。
【００３４】
続いて、野菜室２０に備えられた収納ケース３０の詳細な構成について、図２に加えて図３〜図１４を用いて説明する。
【００３５】
図３は収納ケース３０の上面図、図４は図３に示す収納ケース３０のIＶ−IＶ線における垂直断面正面図、図５は収納ケース３０の斜視図である。なお、図５では収納ケース３０を破線で描画している。図６は収納ケース３０の小物ケースの斜視図、図７は小物ケースの上面図、図８は小物ケースと収納ケースとの係合部を示す部分拡大垂直断面正面図、図９は図８と同様の小物ケースと収納ケースとの係合部を示す部分拡大垂直断面正面図にして、係合途中の状態を示すものである。図１０は収納ケース３０の垂直断面側面図、図１１は図１０の収納ケース３０の円ＸＩ内を示す部分拡大垂直断面正面図、図１２は図１０の収納ケース３０の円ＸＩＩ内を示す部分拡大垂直断面正面図である。図１３は収納ケース３０の縦型ケースの斜視図、図１４は収納ケース３０の上面図にして、縦型ケースのみを取り付けた状態を示すものである。
【００３６】
収納ケース３０は、図２〜図５に示すように上面を開口した略箱形状をなし、樹脂成型により形成されている。収納ケース３０は扉２０ｂの背面側に取り付けられている。また、収納ケース３０は図２〜図５において二点鎖線で囲んだ内部に野菜などの貯蔵物の収納空間である貯蔵物収納部３１を備えている。
【００３７】
さらに、収納ケース３０には第１小物ケースとしての小物ケース４０と、第２小物ケースとしての縦型ケース５０とが取り付けられている。
【００３８】
小物ケース４０は、図５〜図７に示すように樹脂成型により形成されてトレイ形状をなし、収納ケース３０の上面に載置されている。小物ケース４０の内部は深さが比較的浅い上段部４０ａと比較的深い下段部４０ｂとで区分されている。小物ケース４０の前側、正面から見て右側の角部には平面視の一部を矩形に切り欠いた切り欠き部４１が設けられている。そして、小物ケース４０は切り欠き部４１において、図４及び図６に示すように立った状態に設けられた前壁部４２及び左壁部４３を備えている。
【００３９】
小物ケース４０は、図４〜図６に示すようにその周囲上端部から外側下方に向かって延びる折れ曲がり部４４を備えている。折れ曲がり部４４は小物ケース４０の上端部から底部までの長さより短い長さで下方に向かって延び、この箇所に使用者が手を掛けて小物ケース４０を収納ケース３０に対して着脱したり、持ち運んだりすることができる。
【００４０】
また、小物ケース４０は、図７に示すようにその左右の縁部に突起部４５を備えている。正面から見て右側の突起部４５は小物ケース４０の切り欠き部４１の近傍に備えられている。突起部４５は、図８に示すように小物ケース４０の下端に下方に向かって凸となる形で設けられている。なお、図８及び図９は左方が収納ケース３０の前方を、右方が後方を示している。
【００４１】
一方、収納ケース３０に対して図２〜図５に示す所定の位置に小物ケース４０を取り付けたとき小物ケース４０の突起部４５に係合する突起部３２が収納ケース３０にも備えられている（図８参照）。収納ケース３０の突起部３２は、図８に示すように収納ケース３０の上面に上方に凸となる形で設けられている。また、収納ケース３０の突起部３２はその後部に比較的緩やかな傾斜を有する斜面３２ａを有している。
【００４２】
ここで、図９の矢印で示すように、小物ケース４０を前方に向かって収納ケース３０上でスライドさせて互いの突起部４５及び突起部３２を係合させるとき、突起部３２の斜面３２ａの斜面作用により突起部４５、すなわち小物ケース４０が一旦持ち上がる。そして、小物ケース４０の突起部４５が収納ケース３０の突起部３２の箇所を通過すると、図８に示すように小物ケース４０が下降して所定の位置に取り付けられる。これにより、小物ケース４０を収納ケース３０上でスライドさせて取り付けても縦型ケース５０に衝突しないようにすることができ、空気のシール性能の向上が図られた貯蔵物収納部３１を容易に形成することが可能である。
【００４３】
また、小物ケース４０は、図７、図１０、及び図１１に示すようにその背面であって下段部４０ｂに対応する領域に背面リブ部４６を備えている。背面リブ部４６は、図１１に示すように収納ケース３０の背面に沿って下方に向かって所定長さで延びている。背面リブ部４６は収納ケース３０上面に小物ケース４０を載置するときに互いが当接する当接面における隙間を収納ケース３０及び小物ケース４０の後方に対してカバーしている。
【００４４】
縦型ケース５０は、図３〜図５に示すように収納ケース３０の内部であって小物ケース４０の切り欠き部４１に対応する箇所に配置されている。縦型ケース５０は樹脂成型により形成され、収納ケース３０の内底面から上部まで、すなわち小物ケース４０の切り欠き部４１まで届くように延びる比較的縦長の上面を開口した略箱形状をなしている。
【００４５】
図１３に示すように、縦型ケース５０の前後左右の四方は各々立った状態に設けられた前壁部５１、後壁部５２、左壁部５３、及び右壁部５４で構成されている。図４及び図５に示すように、縦型ケース５０の後壁部５２の上部は小物ケース４０の前壁部４２と互いに近接して対向し合う形となり、縦型ケース５０の左壁部５３の上部は小物ケース４０の左壁部４３と互いに近接して対向し合う形となっている。これにより、縦型ケース５０の後壁部５２と小物ケース４０の前壁部４２との間Ｓ１（図１２参照）と、縦型ケース５０の左壁部５３と小物ケース４０の左壁部４３との間Ｓ２（図４参照）とにおいて各々の隙間の間隔が狭く、その狭い隙間を構成している領域が上下方向に比較的長いので空気の流通に抵抗が生じる。したがって、貯蔵物収納部３１内の冷気が外部に流出し難くさせることができる。
【００４６】
また、小物ケース４０及び縦型ケース５０を収納ケース３０に取り付けたとき、縦型ケース５０の後壁部５２及び左壁部５３の上端部は小物ケース４０の切り欠き部４１の折れ曲がり部４４の下端部に近接している。そして、図３及び図１４に示すように、小物ケース４０の切り欠き部４１の折れ曲がり部４４が縦型ケース５０の後壁部５２及び左壁部５３の上端部の上方に被さり、上方から見た平面視で重なっている。これにより、小物ケース４０と縦型ケース５０との間において空気の流通経路が一層狭くなるので、空気のシール性能を一層向上させて貯蔵物収納部３１の冷気を外部に流出し難くさせることができ、且つ湿度を比較的高くさせることが可能である。
【００４７】
このような構成の縦型ケース５０に対応して、図４〜図６に示すように小物ケース４０の切り欠き部４１の前壁部４２に近接する折れ曲がり部４４の下端部には空気のシール部材であるパッキン４７が備えられている。パッキン４７は、図１２に示すように折れ曲がり部４４の下端部に取り付けられてさらに下方に向かって延び、縦型ケース５０の後壁部５２に当接している。このように切り欠き部４１において小物ケース４０の折れ曲がり部４４と縦型ケース５０の後壁部５２との間Ｓ３に設けられ、パッキン４７はこの間Ｓ３における空気の流通を阻止している。
【００４８】
また、上記構成の縦型ケース５０に対応して、図１４に示すように収納ケース３０内部には内部リブ部３３が２箇所に備えられている。内部リブ部３３は縦型ケース５０の取り付け箇所であって、収納ケース３０内部の前側の右角部に配置された縦型ケース５０の壁部の右後方角部５５と左前方角部５６とに近接して設けられている。２箇所の内部リブ部３３は各々縦型ケース５０壁部の右後方角部５５と左前方角部５６との形状に沿った形、すなわち上下方向に延びる側面が曲面で構成された略三角柱形状をなしている。内部リブ部３３は、図４に示すように収納ケース３０の内底面から小物ケース４０の切り欠き部４１に近接する箇所まで上下方向に延びている。
【００４９】
上記の小物ケース４０と縦型ケース５０とによって、収納ケース３０の内部で例えば野菜などの貯蔵物の収納空間である貯蔵物収納部３１がその外部に対して閉塞される。これにより、貯蔵物収納部３１の野菜に冷気が直接吹き付けられることがなく、野菜室２０を開放しても貯蔵物収納部３１に外気が一気に流入することもない。
【００５０】
そして、上記収納ケース３０の諸構成が貯蔵物収納部３１の高湿度化に及ぼす影響として、貯蔵物収納部３１に野菜を一定期間放置したときの効果について図１５を用いて説明する。図１５は収納ケース３０の諸構成が野菜の乾燥度に及ぼす影響を示す表である。
【００５１】
なお、貯蔵物収納部３１の高湿度化については野菜の乾燥度で評価した。野菜の乾燥度とは、貯蔵物収納部３１に野菜を一定期間放置するその前後において各々重さを測定して放置前の重さに対する放置後の減少した重さの割合、すなわち水分減少率のことを意味する。野菜の乾燥度ができるだけ低くなるように収納ケース３０を構成することにより野菜の鮮度が長く維持されることを期待できる。
【００５２】
ここでは、本発明に係る図１５に示す４通りの収納ケース３０の構成に対して各々ホウレン草４束（約１５０ｇ／束）を投入して３日間放置した。そして、ホウレン草の投入前後において各々重さを測定して乾燥度を算出した。ホウレン草各束の乾燥度の平均値をそのときの野菜室２０の乾燥度とした。なお、図１５の（１）に示した構成は収納ケース３０に小物ケース４０のみを載置して縦型ケース５０を載置しなかった構成であり、これを評価基準（比較例）とした。この構成の野菜室２０の乾燥度は１５％であった。
【００５３】
図１５によると、（２）に示した構成は収納ケース３０に小物ケース４０と縦型ケース５０とを載置した構成であって野菜室２０の乾燥度は１４．９％であった。収納ケース３０に小物ケース４０のみを載置した構成に対して縦型ケース５０を載置したことによる野菜室２０の乾燥度に及ぼす影響は小さいことが確認できた。
【００５４】
図１５の（３）に示した構成は収納ケース３０に小物ケース４０と縦型ケース５０とを載置してパッキン４７及び内部リブ部３３を設けた構成であって野菜室の乾燥度は１２．０％であった。収納ケース３０に小物ケース４０と縦型ケース５０とを載置した構成に対して乾燥度が２．９％も低下し、パッキン４７及び内部リブ部３３を設けることによる野菜室２０の乾燥度に及ぼす影響は大きいことが確認できた。
【００５５】
図１５の（４）に示した構成は収納ケース３０に小物ケース４０と縦型ケース５０とを載置してパッキン４７及び内部リブ部３３及び背面リブ部４６を設けた構成であって野菜室の乾燥度は１０．６％であった。収納ケース３０に小物ケース４０と縦型ケース５０とを載置してパッキン４７及び内部リブ部３３を設けた構成に対して乾燥度が１．４％も低下し、背面リブ部４６を設けることによる野菜室２０の乾燥度に及ぼす影響は大きいことが確認できた。
【００５６】
このようにして、小物ケース４０の切り欠き部４１に対応する箇所における小物ケース４０及び縦型ケース５０各々が有する互いが近接して対向し合う形の前壁部４２及び後壁部５２、左壁部４３及び左壁部５３と、パッキン４７と、内部リブ部３３との働きにより小物ケース４０と縦型ケース５０との間の空気のシール性能が向上するので、貯蔵物収納部３１の冷気が外部に流出し難く且つ湿度が比較的高くなる。また、小物ケース４０の背面リブ部４６の働きにより収納ケース３０及び小物ケース４０の背面において収納ケース３０と小物ケース４０との間の空気のシール性能が向上するので、さらに貯蔵物収納部３１の冷気が外部に流出し難く且つ湿度が比較的高くなる。
【００５７】
本発明の実施形態の構成によれば、収納ケース３０の野菜などの収納空間である貯蔵物収納部３１が小物ケース４０と縦型ケース５０とで閉塞され、さらに空気のシール性能も向上する。これにより、野菜に冷気が直接吹き付けられることを防止しながら好適な温度で冷却されて湿度が比較的高い貯蔵物収納部３１を実現することが可能な冷蔵庫１を提供することができる。
【００５８】
以上、本発明の実施形態につき説明したが、本発明の範囲はこれに限定されるものではなく、発明の主旨を逸脱しない範囲で種々の変更を加えて実施することができる。
【００５９】
例えば、上記実施形態では背面リブ部４６は小物ケース４０の背面であって下段部４０ｂに対応する領域に設けたが、上段部４０ａに対応する領域、或いはそれら両方に設けても構わない。また、パッキン４７を小物ケース４０の切り欠き部４１の前壁部４２に近接する折れ曲がり部４４に設けたが、左壁部４３に近接する折れ曲がり部４４、或いはそれら両方に設けても構わない。
【００６０】
そして、小物ケース４０を収納ケース３０上でスライドさせたとき小物ケース４０を持ち上げる収納ケース３０の突起部３２に設けた斜面３２ａは小物ケース４０の突起部４５に設けても構わないし、それら突起部の両方に設けても構わない。
【産業上の利用可能性】
【００６１】
本発明は、野菜などの貯蔵物を収納する収納ケースを備えた冷蔵庫において利用可能である。
【符号の説明】
【００６２】
１    冷蔵庫
２    本体
２０    野菜室（貯蔵室）
３０    収納ケース
３１    貯蔵物収納部
３２    突起部
３３    内部リブ部
４０    小物ケース（第１小物ケース）
４１    切り欠き部
４２    前壁部
４３    左壁部
４４    折れ曲がり部
４５    突起部
４６    背面リブ部
４７    パッキン（シール部材）
５０    縦型ケース（第２小物ケース）
５２    後壁部
５３    左壁部
５５    右後方角部
５６    左前方角部
【図１】
2012063123.tif 000003
【図２】
2012063123.tif 000004
【図３】
2012063123.tif 000005
【図４】
2012063123.tif 000006
【図５】
2012063123.tif 000007
【図６】
2012063123.tif 000008
【図７】
2012063123.tif 000009
【図８】
2012063123.tif 000010
【図９】
2012063123.tif 000011
【図１０】
2012063123.tif 000012
【図１１】
2012063123.tif 000013
【図１２】
2012063123.tif 000014
【図１３】
2012063123.tif 000015
【図１４】
2012063123.tif 000016
【図１５】
2012063123.tif 000017